(57)【要約】      （修正有）【課題】軽量であるにも関わらず、複数の本を並べたようなイメージをかもし出すことができ、しかも、設置スペースにほとんど奥行を必要とせずに済むダミーブックパネルを提供する。【解決手段】ダミーブックパネル１０は、本の背に相当する部分からなるダミーブック部２０を、ベース３０上に複数並べて配置している。ダミーブックパネル１０は紙で形成されており、ベース３０は、隣り合うダミーブック部同士２０，２０の間を切断可能に構成されている。また、ベース３０は、ダミーブック部２０を並べた側の面と反対側の面に、ダミーブックパネル１０を設置箇所に対して取り付けるための磁石又は両面テープを有している。【選択図】図１
2019077125.tif 000002
【特許請求の範囲】
【請求項１】
本の背に相当する部分からなるダミーブック部を、ベース上に複数並べて配置したダミーブックパネル。
【請求項２】
前記ベースは、隣り合うダミーブック部同士の間を切断可能に構成されている、請求項１に記載のダミーブックパネル。
【請求項３】
前記ダミーブック部及び前記ベースは、紙で形成されている、請求項１又は２に記載のダミーブックパネル。
【請求項４】
前記ベースは、前記ダミーブック部を並べた側の面と反対側の面に、当該ダミーブックパネルを設置箇所に対して取り付けるための取付け手段を有している、請求項１から３のいずれか一項に記載のダミーブックパネル。
【請求項５】
前記取付け手段は、磁石又は両面テープである、請求項４に記載のダミーブックパネル。
【請求項６】
前記ダミーブック部及び前記ベースには、不燃材料が塗布されている、請求項１から５のいずれか一項に記載のダミーブックパネル。
【発明の詳細な説明】
【技術分野】
【０００１】
本発明は、ダミーブックパネルに関する。
【背景技術】
【０００２】
ダミーブックとは、本物の本をイメージした装飾用の本であり、主としてディスプレイのために用いられる。例えば、カフェ、書店を併設した店舗、マンションのモデルルーム等の棚に置かれたダミーブックは、室内空間のインテリアをおしゃれに演出する。
【０００３】
なお、ダミーブックについて先行の特許文献を調査したが、該当するものは見つからなかった。ダミーブックではないが、造花を収納する本型のパッケージを開示する特許文献１は見つかった。この特許文献１では、本物の本のように、多数枚の紙を積層して本体部を形成し、その後、本体部をくり抜いて造花を収容している。
【先行技術文献】
【特許文献】
【０００４】
【特許文献１】実用新案登録第３１５９００５号
【発明の概要】
【発明が解決しようとする課題】
【０００５】
ダミーブックとして、仮に特許文献１のように多数枚の紙を積層したものとすると、重くなる。そうなると、ダミーブックの設置場所（棚等）に十分な強度が求められ、ダミーブックを複数並べて置けなくなる可能性がある。
【０００６】
本発明は、軽量であるにも関わらず、複数の本を並べたようなイメージをかもし出すことができ、しかも、設置スペースに奥行をほとんど必要としないダミーブックパネルを提供することを目的とする。
【課題を解決するための手段】
【０００７】
本発明の一態様に係るダミーブックパネルは、本の背に相当する部分からなるダミーブック部を、ベース上に複数並べて配置したものである。
【０００８】
この態様によれば、ダミーブック部が本の背に相当する部分からなるため、軽量化を図ることができる。また、ダミーブック部を複数並べているため、複数の本を並べたようなイメージをかもし出すことができる。さらに、複数のダミーブック部をベースに配置しているので、複数のダミーブック部の取扱い・管理を容易にすることができる。また、ダミーブックパネルとしては、本の背に相当する部分にベースを加えた程度の厚みとすることができるため、本物の本に比べて、厚みを薄くすることができる。これにより、本物の本よりも、設置スペースにほとんど奥行を必要とせずにすむ。
【０００９】
ベースは、隣り合うダミーブック部同士の間を切断可能に構成されているとよい。こうすることで、ダミーブック部をそれ単体でダミーブックパネルから切り離すことができる。これにより、ユーザが、設置箇所に応じてダミーブックパネルの長さを調整することができる。また、ダミーブック部単体でも利用することができるなど、汎用性の高いダミーブックパネルを提供することができる。
【００１０】
ダミーブック部及びベースは、紙で形成されているとよい。こうすることで、軽量かつ安価なダミーブックパネルを提供することができる。
【００１１】
ベースは、ダミーブック部を並べた側の面と反対側の面に、ダミーブックパネルを設置箇所に対して取り付けるための取付け手段を有しているとよい。こうすることで、ダミーブックパネルを容易に設置することができる。
【００１２】
取付け手段は、磁石又は両面テープであるとよい。これにより、簡易な方法でダミーブックパネルを設置することができる。
【発明の効果】
【００１３】
軽量であるにも関わらず、複数の本を並べたようなイメージをかもし出すことができ、しかも、設置スペースにほとんど奥行を必要としないダミーブックパネルを提供することができる。
【図面の簡単な説明】
【００１４】
【図１】実施形態に係るダミーブックパネルを示す斜視図である。
【図２】図１のダミーブックパネルに関し、（Ａ）は正面図、（Ｂ）は背面図、（Ｃ）右側面図、（Ｄ）は平面図である。
【図３】図１のダミーブックパネルを設置した状態を示す参考斜視図である。
【発明を実施するための形態】
【００１５】
添付図面を参照して、本発明の好適な実施形態に係るダミーブックパネルについて説明する。各図において、同一の符号を付したものは、同一の又は同様の構成を有する。
【００１６】
図１及び２に示すように、ダミーブックパネル１０は、複数のダミーブック部２０をベース３０上に並べて配置している。ダミーブック部２０は、本の背に相当する部分からなる。すなわち、ダミーブック部２０は、一般に表紙、裏表紙及び背表紙等を有する本の、背表紙に相当する部分から構成されている。通常、本では、表紙及び裏表紙がそれぞれミミと称される溝を介して背表紙につながっている。ダミーブック部２０は、そのような通常の本におけるミミから先の部分（背の部分）で構成されており、所定の厚み（例えば７ｍｍ）を有している。ダミーブック部２０は、いわゆる丸背又は角背とすることができ、ここでは、平面視、中央部２０ａが外に向かって凸となるような山型（丸背）に形成されている。ダミーブック部２０は、紙で形成されている。また、ダミーブック部２０は、一方の面２０ｂに文字、デザイン、写真等が印刷され、これと反対側の面２０ｃをベース３０に固定されている。この固定は、のり、ボンド又はテープ等による接着によって行うことができる。
【００１７】
ベース３０は、シート状又は薄板状に形成されており、複数のダミーブック部２０に対して台紙として機能する。ベース３０は、紙、樹脂又は金属で形成することができるが、ここでは紙で形成されている。ベース３０は、ダミーブック部２０よりも薄く形成されている。ベース３０の厚みは、例えば１ｍｍである。ベース３０は、複数のダミーブック部２０を並べて配置している。ここでは、１０個のダミーブック部２０が平行に並べられている。また、ベース３０は、隣り合うダミーブック部２０同士の間を切断可能に構成されている。ベース３０が紙で形成されている場合、ユーザは、ベース３０の、隣り合うダミーブック部２０同士の間の部分をカッターなどを用いて容易に切断することができる。なお、当該部分に切り取りのための切断線（ミシン線など）を予め形成することも可能である。ベース３０は、ダミーブック部２０を並べた側の面３０ａとは反対側の面３０ｂに、両面テープ４０が設けられている。両面テープ４０は、例えば、ベース３０の四隅に設けることができる。ダミーブックパネル１０を棚５０に設置する際、例えば図３に示すように、両面テープ４０を介してダミーブックパネル１０を設置箇所に取り付けることができる。
【００１８】
本実施形態に係るダミーブックパネル１０によれば、ダミーブック部２０が本の背に相当する部分からなり、実際の本のページ部分を有していないため、軽量化を図ることができる。また、ダミーブック部２０を複数並べているため、複数の本を並べたようなイメージをかもし出すことができる。さらに、ベース３０に複数のダミーブック部２０を配置しているので、複数のダミーブック部２０の取扱い・管理を容易にすることができる。また、ダミーブックパネル１０としては、本の背に相当する部分の厚みにベース３０の厚みを加えた程度の厚みとなるため、実際の本に比べて、厚みを薄くすることができる。これにより、実際の本よりも、設置スペースにほとんど奥行を必要とせずにすむ。したがって、例えば、ダミーブックパネル１０を壁、ドア、扉、窓等に貼り付けることができ、あたかもそこに本棚があるかのようなインテリアを提供することができる。また、ダミーブックパネル１０を額縁に入れて飾ることなども可能である。
【００１９】
加えて、ベース３０は、隣り合うダミーブック部２０同士の間を切断可能に構成されているため、ダミーブック部２０をそれ単体でベース３０の一部と一緒にダミーブックパネル１０から切り離すことができる。これにより、ユーザが、設置箇所に応じてダミーブックパネル１０の長さを調整することができる。また、ダミーブック部２０単体でも利用することができるなど、汎用性の高いダミーブックパネル１０を提供することができる。
【００２０】
以上説明した実施形態は、本発明の理解を容易にするためのものであり、本発明を限定して解釈するためのものではない。実施形態が備える各要素並びにその配置、材料、条件、形状、個数及びサイズ等は、例示したものに限定されるわけではなく適宜変更することができる。
【００２１】
例えば、両面テープ４０以外の取付け手段を設けてもよい。一例を挙げると、例えば磁石を取付け手段として採用することができる。設置箇所が金属又は磁性を有している場合には、ベース３０の面３０ｂに設けた磁石を利用して、ダミーブックパネル１０を設置箇所に取り付けることができる。また、設置箇所が例えばガラスである場合には、その両側にダミーブックパネル１０をそれぞれ設け、それぞれの磁石を利用してダミーブックパネル１０同士をガラスを介して磁着させるようにすることも可能である。
【００２２】
ダミーブックパネル１０を構成するダミーブック部２０及びベース３０に不燃材料を塗布してもよい。こうすることで、ダミーブックパネル１０の耐火性を向上することができる。
【符号の説明】
【００２３】
１０…ダミーブックパネル、２０…ダミーブック部、２０ａ…中央部、２０ｂ…面、２０ｃ…面、３０…ベース、３０ａ…面、３０ｂ…面、４０…両面テープ、５０…棚
【図１】
2019077125.tif 000003
【図２】
2019077125.tif 000004
【図３】
2019077125.tif 000005